【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
追跡可能動力式ドリル組立体であって、前記組立体は、
第１端から第２端へ延びている外面を有する動力式ドリルモーターハウジングと、
前記動力式ドリルモーターハウジングの前記第２端に固定係合するように構成されている動力式ドリルモーターハウジング接続部を有するコレット組立体であって、前記動力式ドリルモーターハウジング接続部は前記動力式ドリルモーターハウジングと当該コレット組立体の間の接続を可能にする、コレット組立体と、
アタッチメント部材であって、当該アタッチメント部材は第１アタッチメント端から第２アタッチメント端へ延びていて当該アタッチメント部材内の孔を形成している内面を有しており、前記コレット組立体は少なくとも部分的に第１ロック組立体を形成するために前記孔の中に少なくとも部分的に受け入れられるように構成されている、アタッチメント部材と、
前記アタッチメント部材の前記コレット組立体に対する回転運動を制限するように構成されている第２ロック組立体と、
前記動力式ドリルモーターハウジングの前記外面に固定されていて前記追跡可能な動力式ドリル組立体のナビゲーションを可能にするように構成されている追跡デバイスと、
を備えている、
組立体。
【請求項２】
請求項１に記載の組立体であって、
前記追跡デバイスへ接続されている追跡デバイス架台、
を更に備えており、
前記追跡デバイス架台は貫通孔を規定し、前記追跡デバイス架台は摩擦嵌めを介して、前記貫通孔を通過して前記動力式ドリルモーターハウジングの前記外面へ結合され、
前記追跡デバイスは、前記摩擦嵌めを介して、前記動力式ドリルモーターハウジングに固定され、
前記第２ロック組立体は、前記コレット組立体に前記アタッチメント部材を回転できる状態で固定するようになっている、
組立体。
【請求項３】
請求項１又は請求項２に記載の組立体であって、
前記アタッチメント部材から延びている工具先端を有する工具、
を更に備えている組立体。
【請求項４】
請求項１から請求項３の何れか一項に記載の組立体において、前記第２ロック組立体は、
前記アタッチメント部材の前記内面に形成されている第１溝と、
前記コレット組立体のコレットハウジングの外面に形成されている第２溝と、
前記第２溝内を前記コレットハウジングに対して前記第１溝の中へ可動である楔と、
を含んでおり、
前記楔は、前記アタッチメント部材の前記内面と前記コレットハウジングの前記外面の間に割って入るように構成されている、
組立体。
【請求項５】
請求項４に記載の組立体において、前記第２ロック組立体は、
カラー内面並びに前記カラー内面に形成された螺旋溝を有しているカラーと、
楔運動部材と、
を更に含んでおり、
前記楔運動部材は、前記カラーによって動かされるように、前記カラー内面の前記螺旋溝に係合され、
前記カラーは、前記楔運動部材を第１の長手方向に動かすべく前記コレットハウジングに対して第１の方向に回転されるように、及び前記楔運動部材を第２の長手方向に動かすべく前記コレットハウジングに対して第２の方向に回転されるように構成されている、
組立体。
【請求項６】
請求項１から請求項３の何れか一項に記載の組立体において、前記第２ロック組立体は、
前記アタッチメント部材の前記内面から延びているタブと、
前記コレット組立体のコレットハウジングの外面に形成されている窪みと、
を含んでおり、
前記タブの少なくとも一部分は前記窪みの中へ動かされるように構成されている、
組立体。
【請求項７】
請求項６に記載の組立体において、前記第２ロック組立体は、
前記コレットハウジング上に配置されているウェーブスプリングと、
前記ウェーブスプリングによって前記窪みに向かって付勢されるＤリングと、
前記Ｄリングの縁に係合するために前記アタッチメント部材の前記内面から延びている突起と、
を更に含んでおり、
前記ウェーブスプリングは、更に、前記突起に係合する前記Ｄリングを付勢することによって、前記アタッチメント部材を前記窪みに向けて付勢するように構成されている、
組立体。
【請求項８】
請求項１から請求項３の何れか一項に記載の組立体において、前記第２ロック組立体は、回転ロック部材を受け入れるように構成されている回転ロック座を含んでいる、組立体。
【請求項９】
動力式ドリル組立体を、前記動力式ドリルによって動力供給される工具先端を追跡するように接続する方法であって、前記方法は、
動力式ドリルモーターハウジングの第２端に固定係合するように構成されている動力式ドリルモーターハウジング接続部を有するコレット組立体を接続する段階であって、前記動力式ドリルモーターハウジング接続部は前記コレット組立体を前記動力式ドリルモーターハウジングに固定する、コレット組立体を接続する段階と、
少なくとも部分的に第１のロック機構を形成するために、前記コレット組立体の少なくとも一部分をアタッチメント部材の内面によって形成されている孔内に位置決めする段階と、
少なくとも、前記アタッチメント部材の前記コレット組立体に対する回転運動を制限するように構成されている第２ロック機構を係合させる段階と、
を備えており、
追跡デバイスが、前記動力式ドリルモーターハウジングの外面に固定されており、前記追跡デバイスは、前記追跡可能動力式ドリル組立体の追跡を可能にするように構成されている、
方法。
【請求項１０】
請求項９に記載の方法であって、前記工具先端を前記追跡デバイスを用いて追跡する段階、を更に備えている方法。
【請求項１１】
請求項９又は請求項１０に記載の方法であって、
前記追跡デバイスの前記アタッチメント部材に対する実質的な回転を、少なくとも前記第２ロックメカニズムを用いて排除する段階、
を更に備えている方法。
【請求項１２】
請求項９から請求項１１の何れか一項に記載の方法であって、
前記追跡デバイスを、前記動力式ドリルモーターハウジングの前記外面へ固定する段階、
を更に備えている方法。
【請求項１３】
請求項１０に記載の方法であって、
前記工具先端を追跡するように追跡システムを動作させる段階、
を更に備えている方法。
【請求項１４】
請求項９から請求項１３の何れか一項に記載の方法において、前記第２ロック機構を係合させる段階は、
楔係合部材を動かすように前記コレット組立体のコレットハウジング周りにカラーを回転させる段階と、
前記カラーを回転させることによって、楔を前記コレットハウジングに形成されている第１溝の中で及び前記アタッチメント部材の前記内面に形成されている第２溝の中へと動かす段階であって、前記楔を動かす段階に際し、前記楔は前記アタッチメント部材の前記内面と前記コレットハウジングの外面の間に割って入るように構成されている、楔を動かす段階と、
を含んでいる、方法。
【請求項１５】
請求項９から請求項１３の何れか一項に記載の方法において、前記第２ロック機構を係合させる段階は、
前記アタッチメント部材の前記内面から延びている突起を、コレットハウジング上に配置されているウェーブスプリングを過ぎて動かす段階と、
前記ウェーブスプリングに前記アタッチメント部材の前記内面上に形成されているタブを前記コレットハウジングに形成されている窪みの中へ付勢させるために前記アタッチメント部材を解放する段階と、
を含んでいる、方法。
【請求項１６】
請求項９から請求項１３の何れか一項に記載の方法において、前記第２ロック機構を係合させる段階は、回転ロック部材を回転ロック座の中へ動かす段階を含んでいる、方法。
【請求項１７】
追跡可能動力式ドリル組立体であって、前記組立体は、
動力式ドリルモーターハウジングの第１端に固定係合するように構成されている動力式ドリルモーターハウジング接続部を有するコレットハウジングを有しているコレット組立体であって、前記動力式モーターハウジング接続部は前記動力式ドリルモーターハウジングとの選択的な堅い接続機構を形成する、コレット組立体と、
第１部材端から第２部材端へ延びている細長部材であって、当該細長部材は、当該細長部材内に孔を形成している内面を有しており、前記コレット組立体は少なくとも部分的に第１細長部材ロック機構を形成するために前記孔内に少なくとも部分的に受け入れられるように構成されている、細長部材と、
前記コレットハウジングに提供されている第１部分と、前記細長部材上に形成されている第２部分と、を有している第２細長部材ロック機構と、
を備えており、
前記第２細長部材ロック機構は、少なくとも、前記細長部材の前記コレット組立体及び追跡デバイスに対する回転運動を実質的に制限するように構成されている、
組立体。
【請求項１８】
請求項１７に記載の組立体であって、
前記第１端から第２端へ延びている外面を有している前記動力式ドリルモーターハウジング、
を更に備えている組立体。
【請求項１９】
請求項１８に記載の組立体は更に前記追跡デバイスを備え、前記追跡デバイスは、前記動力式ドリルモーターハウジングの前記外面に対して固定されていて、前記追跡可能動力式ドリル組立体のナビゲーションを可能にするように構成されている、組立体。
【請求項２０】
請求項１７から請求項１９の何れか一項に記載の組立体において、前記第２細長部材ロック機構は楔を更に含んでおり、
前記第１部分は前記コレット組立体の前記コレットハウジングの外面に形成された第１溝を含んでおり、
前記第２部分は前記細長部材の前記内面に形成された第２溝を含んでおり、
前記楔は、前記第２溝内で前記コレットハウジング及び前記第１溝に対して選択的に可動であり、
前記楔は前記細長部材の前記内面と前記コレットハウジングの前記外面の間に割って入るように構成されている、
組立体。
【請求項２１】
請求項２０に記載の組立体において、前記第２細長部材ロック機構は、
螺旋溝を有するカラーと、
楔運動部材と、
を更に含んでおり、
前記楔運動部材は、前記カラーによって動かされるように前記カラーの前記螺旋溝内に係合され、
前記カラーは、前記楔運動部材を第１の長手方向に動かすべく前記コレットハウジングに対して第１の方向に回転されるように、及び前記楔運動部材を第２の長手方向に動かすべく前記コレットハウジングに対して第２の方向に回転されるように構成されている、
組立体。
【請求項２２】
請求項１７から請求項１９の何れか一項に記載の組立体において、前記第２細長部材ロック機構は、
前記細長部材の前記内面から延びているタブと、
前記コレット組立体の前記コレットハウジングの外面に形成されている窪みと、
を含んでおり、
前記タブの少なくとも一部分は前記窪みの中へ動かされるように構成されている、
組立体。
【請求項２３】
請求項１７から請求項１９の何れか一項に記載の組立体において、前記第２ロック機構の前記第１部分は前記コレットハウジング上に回転ロック座として形成されており、前記細長部材上に形成されている前記第２ロック機構の前記第２部分は回転ロック部材である、組立体。
【請求項２４】
請求項１７から請求項１９の何れか一項に記載の組立体において、前記コレットハウジングに提供されている前記第２ロック機構の前記第１部分は回転ロック部材であり、前記細長部材上に形成されている前記第２ロック機構の前記第２部分は回転ロック座である、組立体。
【請求項２５】
請求項１７から請求項１９の何れか一項に記載の組立体において、前記細長部材は、前記第１部材端から前記第２部材端へ向かって延びている第１部分と、前記第２部材端から前記第１部材端へ向かって延びている第２部分と、を含んでおり、
前記第１部分は第１軸に沿って延び、前記第２部分は第２軸に沿って延びており、
前記第１軸は、交差点で第２軸と交差し、
前記第１軸は前記第２軸に対して約１度乃至約１７９度の角度に形成される、
組立体。